(57)【要約】      （修正有）【課題】粘着部材に多数の穴を設けたり、該粘着部材を分割形成したりしなくても、誘引剤の成分をスムーズに放出させる捕虫器を提供する。【解決手段】捕虫器１は、虫を誘引する成分を発する誘引剤２を格納し、該成分を放出する誘引部３と、該成分に誘引された虫を捕獲するための、垂直方向に延びる略筒状に形成された粘着部材４とが捕虫器本体５に装備されている。粘着部材４は、前記略筒状における略全周の表面に粘着層２１ａが設けられ、捕虫器本体５は、粘着部材４の上側及び下側の開口をそれぞれ覆うように配設された天板８及び台座９と、該天板８及び台座９を互いに連接する連接部１０とを備え、誘引部３は、粘着部材４の筒内に対し、虫を誘引する誘引剤２の成分を放出可能に台座９に装着されており、粘着部材４と天板８及び台座９との間には、粘着部材４の前記筒内に連通する隙間Ｓが設けられている。【選択図】図４
2020048449.tif 000002
【特許請求の範囲】
【請求項１】
虫を誘引する成分を発する誘引剤を格納し、該成分を放出する誘引部と、該成分に誘引された虫を捕獲するための、垂直方向に延びる略筒状に形成された粘着部材とが捕虫器本体に装備された捕虫器であって、
前記粘着部材は、前記略筒状における略全周の表面に粘着層が設けられ、
前記捕虫器本体は、前記粘着部材の上側及び下側の開口をそれぞれ覆うように配設された天板及び台座と、該天板及び台座を互いに連接する連接部とを備え、
前記誘引部は、粘着部材の筒内に対し、虫を誘引する誘引剤の成分を放出可能に前記台座に装着されており、
前記粘着部材と前記天板又は／及び前記台座との間には、前記粘着部材の前記筒内に連通する隙間が設けられている
捕虫器。
【請求項２】
前記台座は、前記粘着部材の前記筒内に連通する貫通穴を備えている
請求項１に記載の捕虫器。
【請求項３】
前記誘引部は、液状の前記誘引剤を格納するための、上端部に開口が設けられた誘引剤容器と、該開口から上端部が突出するように該誘引剤容器に挿入され、該誘引剤容器内の誘引剤を吸い上げ、該上端部から気化拡散させる拡散部材とを備え、
前記台座は、前記誘引剤容器の開口が前記粘着部材の筒内に連通するように、該誘引剤容器の前記上端部を装着する嵌合穴を備えている
請求項１又は２に記載の捕虫器。
【発明の詳細な説明】
【技術分野】
【０００１】
本発明は、誘引剤を用いて害虫を寄せて捕獲する捕虫器に関するものである。
【背景技術】
【０００２】
第一の背景技術としては、特許文献１に記載された捕虫器を例示する。この捕虫器５１は、図６に示すように、虫を誘引するための光を発する複数の光源５３と、虫を誘引する成分を発する誘引剤５４と、これらに誘引された虫を捕獲するための粘着部材５５とが枠体５２に装備されている。枠体５２は、上下に延びる軸５７を中心とする略傘状に形成された上側傘部６１及び下側傘部６２と、両傘部６１，６２の間を連接する連接部６３とを備えている。粘着部材５５は、軸５７を中心とする連接部６３の周囲に略筒状に形成されてなっており、該略全周の表面に粘着層７１ａが形成されている。光源５３は、該軸５７の周方向へ略等間隔をおいて、該粘着部材５５の周囲に複数列設されている。虫を、光源５３からの光により誘引するとともに粘着部材５５により捕獲するように構成している。下側傘部６２は、その下側に（粘着部材５５の近傍に）、誘引剤５４を格納するための格納部７５が設けられている。下側傘部６２の中央には、誘引剤５４から放出される成分の外部への放出口が設けられている。
【０００３】
また、第二の背景技術としては、特許文献２に記載された飛翔害虫用トラップを例示する。このトラップは、上面体と底面体と側面体（スリット付き粘着物）とで構成され、内部が空洞である円柱状の本体の内部空間に、誘引剤ホルダーを用いて誘引剤を中央部に設置している。側面体には、裏面側の全体に粘着部を設けると共に、均等間隔で複数のスリットを形成している。
【０００４】
さらに、第三の背景技術としては、特許文献３に記載された飛翔害虫用組立トラップを例示する。このトラップは、上下に配置された正方形状の第１支持体と第２支持体との間に、４枚の長方形状の側面体が回転かつ組み替え可能に支持されている。側面体の表裏両面の上下端の四隅には、側面体の形状に合致した長方形状の粘着体を取り付け可能になっている。複数の側面体で包囲された内側であるトラップの内部には、誘引剤ホルダーを用いて、誘引剤を設置することができるようになっている。
【先行技術文献】
【特許文献】
【０００５】
【特許文献１】特許第５２５２５０３号公報
【特許文献２】特開２００９−２２５６８７号公報
【特許文献３】特許第５６８４６４２号公報
【発明の概要】
【発明が解決しようとする課題】
【０００６】
ところが、前記第一の背景技術の捕虫器５１は、光源５３が発する光により虫を誘引するように構成されているので、その電源としての電池を一定期間ごとに交換するとともに、使用済み電池を廃棄しなければならず、ユーザーにとって手間が掛かるという課題がある。また、電気部品は一般にコストが高いし、省電力化のために時間制御が必要になるという課題がある。さらに、電気部品を装備させる場合、ハウス内などの多湿な環境対策のために防水性を備えさせなければならず、コストが掛かるという課題がある。しかも、同捕虫器５１では、連接部６３に筒状に巻いた粘着部材５５の内側に誘引剤５４から気化した前記成分を放出する構造になっており、該成分が粘着部材５５の内側に籠もってしまうため、該成分の作用を十分に発揮させることができていないという課題もある。
【０００７】
また、前記第二の背景技術のトラップは、粘着物としての側面体にスリットが設けられているため、誘引剤から放出される成分が粘着物内に籠もることはないが、スリットの存在により、害虫を捕らえる面積が減るとともに加工にコストが掛かるという課題がある。
【０００８】
また、前記第三の背景技術のトラップは、回転可能に支持された複数の側面体で包囲されたトラップの内部に誘引剤を設置するように構成されているため、誘引剤から放出される成分が該内部に籠もることはないが、複数の側面体のそれぞれに粘着体を着脱しなければならず、ユーザーにとって手間が掛かるという課題がある。
【課題を解決するための手段】
【０００９】
前記課題を解決するために、第１の発明の捕虫器は、
虫を誘引する成分を発する誘引剤を格納し、該成分を放出する誘引部と、該成分に誘引された虫を捕獲するための、垂直方向に延びる略筒状に形成された粘着部材とが捕虫器本体に装備された捕虫器であって、
前記粘着部材は、前記略筒状における略全周の表面に粘着層が設けられ、
前記捕虫器本体は、前記粘着部材の上側及び下側の開口をそれぞれ覆うように配設された天板及び台座と、該天板及び台座を互いに連接する連接部とを備え、
前記誘引部は、粘着部材の筒内に対し、虫を誘引する誘引剤の成分を放出可能に前記台座に装着されており、
前記粘着部材と前記天板又は／及び前記台座との間には、前記粘着部材の前記筒内に連通する隙間が設けられている。
【００１０】
前記略筒状とは、円筒状や、角筒状（三角筒状、四角筒状、多角筒状等）をいう。
【００１１】
前記隙間の設け方としては、特に限定されないが、次の態様を例示する。
（１）前記隙間を形成するための凸部又は凹部が前記台座の上面に設けられた態様。
（２）前記粘着部材と前記天板との間に前記隙間が形成されるように、前記粘着部材の筒長が短く設定されている態様。
（３）前記（１）及び（２）を組み合わせた態様。
【００１２】
前記捕虫器の色としては、特に限定されないが、捕獲対象の害虫が誘引され易い色にすることが好ましい。
【００１３】
この構成によれば、前記粘着部材の前記筒内に連通する前記隙間が設けられているので、前記粘着部材に多数の穴を設けたり、該粘着部材を分割形成したりしなくても、該粘着部材の筒内から前記誘引剤の成分を外部にスムーズに放出させることができる。
【００１４】
第２の発明の捕虫器としては、前記第１の発明において、
前記台座は、前記粘着部材の前記筒内に連通する貫通穴を備えている態様を例示する。
【００１５】
この構成によれば、前記粘着部材の前記筒内における上下方向の通気を良くし、前記誘引剤の成分を外部に、さらにスムーズに放出させることができる。
【００１６】
第３の発明の捕虫器としては、前記第１又は２の発明において、
前記誘引部は、液状の前記誘引剤を格納するための、上端部に開口が設けられた誘引剤容器と、該開口から上端部が突出するように該誘引剤容器に挿入され、該誘引剤容器内の誘引剤を吸い上げ、該上端部から気化拡散させる拡散部材とを備え、
前記台座は、前記誘引剤容器の開口が前記粘着部材の筒内に連通するように、該誘引剤容器の前記上端部を装着する嵌合穴を備えている態様を例示する。
【００１７】
前記拡散部材としては、特に限定されないが、繊維を束ねて棒状にしたもの、不織布、木材等を例示する。また、前記拡散部材は、その上端部を解して広げたり、該上端部が傘状になるように別部材を追加したりすると、該上端部が空気に接する面積が増えるので、前記成分がより気化拡散し易くなる。
【００１８】
この構成によれば、前記粘着部材の筒内に対して、前記誘引剤の気化拡散を効果的に行うことができる。しかも、前記隙間や前記貫通穴による通気により、前記拡散部材の上端部からの前記誘引剤の気化拡散を促進させることができる。
【発明の効果】
【００１９】
本発明に係る捕虫器によれば、誘引剤の成分の放出部位の周囲に配設された粘着部材に多数の穴を設けたり、該粘着部材を分割形成したりしなくても、該粘着部材の周囲に該誘引剤の成分をスムーズに放出させることができるという優れた効果を奏する。
【図面の簡単な説明】
【００２０】
【図１】本発明を具体化した一実施形態に係る捕虫器の正面図である。
【図２】同捕虫器の側面図である。
【図３】同捕虫器の台座の平面図である。
【図４】同捕虫器の正断面図である。
【図５】同捕虫器の捕虫器本体から粘着部材及び誘引部を取り外した状態を示す断面図である。
【図６】従来の捕虫器を示す断面図である。
【発明を実施するための形態】
【００２１】
図１〜図５は本発明を具体化した一実施形態の捕虫器１を示している。この捕虫器１は、虫を誘引する成分を発する誘引剤２を格納し、該成分を放出する誘引部３と、該成分に誘引された虫を捕獲するための、垂直方向に延びる略円筒状に形成された粘着部材４とが捕虫器本体５に装備されている。捕虫器１の色としては、特に限定されないが、捕獲対象の害虫が誘引され易い色にすることが好ましい。
【００２２】
捕虫器本体５は、上下に延びる軸７を中心とする略傘状に形成され、粘着部材４の上側及び下側の開口をそれぞれ覆うように配設された天板８及び台座９と、該天板８及び台座９を互いに連接する連接部１０とを備えている。
【００２３】
天板８は、平面視で粘着部材４よりも外周方向に径が大きく形成されている。天板８には、捕虫器１を天井などから吊り下げるための吊り下げ部１１が上側に設けられている。
【００２４】
連接部１０は、本例では、上下に延びる複数本（本例では２本。１本でもよい。）の縦フレーム１２からなる。該複数本の縦フレーム１２は、軸７の周方向へ略等間隔をおいて、軸７の周囲に列設されている。複数本の縦フレーム１２における高さ方向の途中部には、粘着部材４の内周面を位置決めするための粘着部材位置決め部１３が設けられている。粘着部材位置決め部１３は、軸７を中心とするフランジ状に形成されており、該フランジ状の外周面が粘着部材４の内周面を位置決めするように構成されている。本例の粘着部材位置決め部１３の外周面には、粘着部材４を係止するための係止ピン１３ａが突設されている。
【００２５】
台座９は、平面視で粘着部材４よりも外周方向に径が大きく形成されている。台座９には、誘引部３を装着するための、該台座９の上下を連通する嵌合穴９ａが中央に設けられるとともに、該嵌合穴９ａの周囲に周方向へ略一定間隔をおいて該台座９の上下を連通する複数（本例では４つ）の貫通穴９ｂが設けられている。嵌合穴９ａの内周面には、雌ネジ状の溝１８が形成されている。貫通穴９ｂは、粘着部材４の前記筒内に連通している。また、台座９の上面における嵌合穴９ａの周囲には、周方向へ略一定間隔をおいて複数の凸部９ｃが設けられている。各凸部９ｃは、台座９の径方向へ延設されることにより、粘着部材４の下端部を支持するようになっており、それにより、粘着部材４と台座９の間に、粘着部材４の前記筒内に連通する隙間Ｓが形成されるようになっている。
【００２６】
粘着部材４は、連接部１０に巻き付けられることにより、上下方向に延びる軸７を中心とする略円筒状に形成されたシート２１を備えており、該シート２１の全周の表面には粘着層２１ａが形成されている。この粘着部材４の筒長は、台座９の凸部９ｃの上端から天板８の下面までの長さよりも短く設定されており、粘着部材４の上端部と天板８の下面との間に隙間Ｓが形成されるようになっている。シート２１は、その両端に設けられた被係止穴２１ｂが係止ピン１３ａに係止されることにより、捕虫器本体５に着脱可能に装着されている。本例のシート２１は、可撓性を有する樹脂からなっており、捕虫器本体５に装着される前の状態が、粘着層２１ａ同士が重なるように二つ折りにされた状態となっている。この粘着層２１ａ同士を剥がすことにより展開し、捕虫器本体５に装着するようになっている。
【００２７】
誘引部３は、粘着部材４の筒内に対し、虫を誘引する誘引剤２の成分を放出可能に台座９に装着されている。この誘引部３は、液状の誘引剤２を格納するための、上端部に開口２５ａが設けられた誘引剤容器２５と、該開口２５ａから上端部が突出するように該誘引剤容器２５に挿入され、該誘引剤容器２５内の誘引剤２を吸い上げ、該上端部から気化拡散させる拡散部材２６とを備えている。誘引剤容器２５の上端部の外周面には、台座９の下側から該台座９の嵌合穴９ａの溝に螺入可能に形成されている雄ネジ状の突条１９が形成されている。誘引剤容器２５は透明に形成されており、外部から誘引剤２の消費状況が容易に確認可能になっている。本例の拡散部材２６は、繊維を束ねて棒状にしたものであり、上端部を解して広げている。比較実験をしたところ、誘引剤容器２５に誘引剤２を入れただけのものに対し、上端部を解して広げた拡散部材２６を挿入したものは、１０〜２０倍の気化拡散が可能であることがわかった。
【００２８】
本例の捕虫器１は、飛翔はしないが匂いや色に誘引されるタイプの害虫に対して特に効果的であり、害虫が集まりやすい位置（植物の成長点付近）に設置することで、さらに捕虫効果が高くなる。害虫が多く発生している場所に手軽に移動させることができるので、集中的に捕虫することで効果を高めることができる。
【００２９】
以上のように構成された本例の捕虫器１によれば、粘着部材４と天板８及び台座９との間には、粘着部材４の前記筒内に連通する隙間Ｓが設けられているので、粘着部材４に多数の穴を設けたり、該粘着部材４を分割形成したりしなくても、該粘着部材４の筒内から誘引剤２の成分を外部にスムーズに放出させることができる。
【００３０】
また、台座９は、粘着部材４の前記筒内に連通する貫通穴９ｂを備えているので、粘着部材４の前記筒内における上下方向の通気を良くし、誘引剤２の成分を外部に、さらにスムーズに放出させることができる。
【００３１】
誘引部３は、液状の誘引剤２を格納するための、上端部に開口２５ａが設けられた誘引剤容器２５と、該開口２５ａから上端部が突出するように該誘引剤容器２５に挿入され、該誘引剤容器２５内の誘引剤２を吸い上げ、該上端部から気化拡散させる拡散部材２６とを備え、台座９は、誘引剤容器２５の開口２５ａが粘着部材４の筒内に連通するように、該誘引剤容器２５の前記上端部を装着する嵌合穴９ａを備えている。この構成によれば、粘着部材４の筒内に対して、誘引剤２の気化拡散を効果的に行うことができる。しかも、隙間Ｓや貫通穴９ｂによる通気により、拡散部材２６の上端部からの誘引剤２の気化拡散を促進させることができる。
【００３２】
なお、本発明は前記実施形態に限定されるものではなく、例えば以下のように、発明の趣旨から逸脱しない範囲で適宜変更して具体化することもできる。
（１）粘着部材４の形状を、角筒状（三角筒状、四角筒状、多角筒状等）に変更するとともに、それに応じて粘着部材位置決め部１３の平面視での形状を設定すること。
（２）拡散部材２６を、不織布、木材等からなるものに変更すること。また、拡散部材２６の上端部を解すことに代えて、該上端部が傘状になるように別部材を追加すること。
（３）粘着部材４を係止するための係止ピン１３ａに代えて、天板８又は／及び台座９に係止手段を設けること。また、シート２１における被係止孔２１ｂの位置や数を適宜変更すること。さらに、シート２１における両面に粘着層２１ａを設けること。
【符号の説明】
【００３３】
１    捕虫器
２    誘引剤
３    誘引部
４    粘着部材
５    捕虫器本体
７    軸
８    天板
９    台座
９ａ  嵌合穴
９ｂ  貫通穴
９ｃ  凸部
１０    連接部
１１    吊り下げ部
１２    縦フレーム
１３    粘着部材位置決め部
１３ａ  係止ピン
１８    溝
１９    突条
２１    シート
２１ａ  粘着層
２１ｂ  被係止穴
２５    誘引剤容器
２５ａ  開口
２６    拡散部材
Ｓ    隙間
【図１】
2020048449.tif 000003
【図２】
2020048449.tif 000004
【図３】
2020048449.tif 000005
【図４】
2020048449.tif 000006
【図５】
2020048449.tif 000007
【図６】
2020048449.tif 000008